(57)【要約】  取引の間に商業者および顧客による同時入力を防止するように構成された取引インターフェース制御機構を含む販売時点情報管理（ＰＯＳ）システムの技術および構成。ＰＯＳシステムは、商業者対面ディスプレイ上に表示される商業者ユーザ・インターフェース（ＵＩ）および顧客対面ディスプレイ上に示される顧客ＵＩを含むことができる。幾つかの場合には、顧客ＵＩは顧客装置のディスプレイ上にあり得るが、商業者ＵＩは商業者装置のディスプレイ上にあり得る。このような場合には、商業者装置および顧客装置は、有線または無線接続を介して、操作可能に接続され得る。【選択図】図１
2019523953.tif 000002
【特許請求の範囲】
【請求項１】
顧客と商業者との間のＰＯＳ取引を実行する際に使用される商業者販売時点情報管理（ＰＯＳ）システムであって、前記商業者販売時点情報管理システムは、
顧客ＰＯＳインターフェースを表示するように構成され、前記商業者とのＰＯＳ取引の間に前記顧客からの入力を受信するように硬性された顧客端末と、
商業者ＰＯＳインターフェースを表示するように構成され、前記顧客との前記ＰＯＳ取引の間に前記商業者からの入力を受信するように構成された商業者端末と、
一つまたは複数のプロセッサと、
前記一つまたは複数のプロセッサによって実行可能な命令を記憶する、一つまたは複数の非一時的コンピュータ読取り可能媒体と、を含み、前記命令が、
前記顧客ＰＯＳインターフェースを介して前記顧客端末において顧客データを含む第一の入力を受信することと、
前記第一の入力の通知を前記顧客端末から前記商業者端末に送信することと、
前記第一の入力の前記通知に応じて、前記商業者ＰＯＳインターフェースのロックされたモードを起動させることであって、前記ロックされたモードは、前記商業者ＰＯＳインターフェース上における前記商業者によるデータ入力を実質的に不可能にする、起動させることと、
前記顧客端末において、前記第一の入力の完了の通知を受信することと、
前記第一の入力の完了を表示するメッセージを前記顧客端末から前記商業者端末に送信することと、
前記メッセージに応じて、前記商業者ＰＯＳインターフェースの前記ロックされたモードを解除することと、を含む動作を実行するように、前記一つまたは複数のプロセッサをプログラムする、商業者販売時点情報管理（ＰＯＳ）システム。
【請求項２】
前記第一の入力の完了の前記通知を受信することの前に、前記動作は、
前記商業者が前記ロックされたモードを解除することを可能にするように構成された解除オプションを前記商業者ＰＯＳインターフェース上に表示することと、
前記商業者端末において、前記解除オプションの選択を受信することと、
前記解除オプションの前記選択を受信することに応じて、前記商業者ＰＯＳインターフェースの前記ロックされたモードを解除することと、を更に含む、請求項１に記載の商業者ＰＯＳシステム。
【請求項３】
前記第一の入力の完了の前記通知を受信することの前に、前記動作は、
代替の商業者ＰＯＳインターフェースを選ぶというオプションを前記商業者ＰＯＳインターフェース上に表示することと、
前記代替の商業者ＰＯＳインターフェースの選択を前記商業者端末において受信することと、
前記代替の商業者ＰＯＳインターフェースを前記商業者端末上に表示することと、
前記商業者と第二の顧客との間の第二の取引についての取引データを前記商業者端末において受信することと、
前記代替の商業者ＰＯＳインターフェースを介して前記第二の取引を処理することと、更に含む、請求項１または２に記載の商業者ＰＯＳシステム。
【請求項４】
前記動作は、
前記ロックされたモードにおける動作中に、前記顧客による前記第一の入力の表示を前記商業者ＰＯＳインターフェース上に表示すること、を更に含む、請求項１乃至３のいずれか１項に記載の商業者ＰＯＳシステム。
【請求項５】
前記動作は、
前記第一の入力において前記顧客により提供された機密情報を識別することと、
前記商業者ＰＯＳインターフェース上における前記第一の入力の前記表示から前記機密情報を編集することと、を更に含む、請求項４に記載の商業者ＰＯＳシステム。
【請求項６】
少なくとも部分的には、第一のディスプレイおよび第二のディスプレイを含む販売時点情報管理（ＰＯＳ）によって実現される方法であって、
前記ＰＯＳシステムの前記第一のディスプレイ上に第一のユーザ・インターフェース（ＵＩ）を表示することと、
前記ＰＯＳシステムの前記第二のディスプレイ上に第二のＵＩを表示することと、
前記第一のＵＩを介して入力を受信することと、
少なくとも部分的には前記入力に応じて、前記第二のＵＩ上でロックされたモードを起動させることと、を含む方法。
【請求項７】
前記ＰＯＳシステムに前記第二のＵＩ上で前記ロックされたモードを、選択されたときに、解除させる制御手段を前記第二のＵＩ上に表示することと、
前記制御手段の選択を受信することと、
前記選択を受信することに応じて、前記第二のＵＩ上で前記ロックされたモードを解除することと、を更に含む、請求項６に記載の方法。
【請求項８】
前記第一のＵＩに解除メッセージを送信することと、
前記第一のＵＩにロックされたモードを起動させることと、を更に含む、請求項７に記載の方法。
【請求項９】
前記第一のＵＩ上の入力が完了したという通知を受信することと、
少なくとも部分的には前記通知に応じて、前記第二のＵＩ上で前記ロックされたモードを解除することと、を更に含む、請求項６または８に記載の方法。
【請求項１０】
前記第一のＵＩに関連付けられた第一の制御モジュールから前記第二のＵＩに関連付けられた第二の制御モジュールに、前記入力の通知を送信することと、
前記第二の制御モジュールによって、前記第二のＵＩ上で前記ロックされたモードを自動的に起動させることと、を更に含む、請求項６乃至９のいずれか１項に記載の方法。
【請求項１１】
前記第一のディスプレイは顧客対面装置に関連付けられたディスプレイであり、
前記第二のディスプレイは商業者対面装置に関連付けられたディスプレイであり、
前記顧客対面装置および前記商業者対面装置は、顧客と商業者との間のＰＯＳ取引を行うように構成される、請求項６乃至１０のいずれか１項に記載の方法。
【請求項１２】
前記動作は、
前記第二のＵＩ上において、前記入力の表示を表示することと、
前記入力における機密情報を識別することと、
前記第二のユーザ・インターフェース上で表示される前記入力の前記表示から前記機密情報の少なくとも一部を編集することと、を更に含む、請求項６乃至１１のいずれか１項に記載の方法。
【請求項１３】
販売時点情報管理（ＰＯＳ）システムにおける商業者端末として使用されるコンピュータ装置であって、
一つまたは複数のプロセッサと、
前記一つまたは複数のプロセッサによって実行可能な命令を記憶する、一つまたは複数の非一時的コンピュータ読取り可能媒体と、を含み、前記命令は、
前記コンピュータ装置の第一のディスプレイ上に第一のユーザ・インターフェース（ＵＩ）を表示することと、
前記コンピュータ装置の第二のディスプレイ上に第二のＵＩを表示することと、
前記第一のＵＩを介して入力を受信することと、
少なくとも部分的には前記第一のＵＩを介する前記入力に応じて、前記第二のＵＩ上でロックされたモードを起動させることと、を含む動作を実行するように前記一つまたは複数のプロセッサをプログラムする、コンピュータ装置。
【請求項１４】
前記動作が、
前記ＰＯＳシステムに前記第二のＵＩ上で前記ロックされたモードを、選択されたときに、解除させる制御手段を前記第二のＵＩ上に表示することと、
前記制御手段の選択を前記第二のＵＩ上で受信することと、
前記選択を受信することに応じて、前記第二のＵＩの前記ロックされたモードを解除することと、を更に含む、請求項１３に記載のコンピュータ装置。
【請求項１５】
前記第二のＵＩは商業者対面ＵＩであり、前記動作が、
ロックされたモードで動作している間に、前記商業者端末を介して、代替の商業者ＵＩの選択を受信することと、
前記代替の商業者ＵＩを前記第二のディスプレイ上に表示することと、
前記商業者端末において、第二の取引についての取引データを受信することと、
前記代替の商業者ＵＩを介して前記第二の取引と関連付けられた入力を処理することと、を更に含む、請求項１３または１４に記載のコンピュータ装置。
【発明の詳細な説明】
【技術分野】
【０００１】
関連出願
本願は、２０１６年６月２１日付で出願された米国特許出願第１５／１８８，７１１号に基づく優先権を主張するものであり、この米国特許出願の全ての内容は参照によって本願に含まれる。
【背景技術】
【０００２】
商業者と顧客とは、毎日様々の方法で商取引を行う。例えば、顧客は、現金、取引カード、または、他の取引装置を用いる販売時点情報管理（ＰＯＳ，ｐｏｉｎｔ−ｏｆ−ｓａｌｅ）システムで、商業者と取引を行うことができる。多くの取引はＰＯＳシステムへの、例えば、レシートに署名する、取引を承認する、商業者から報酬金を受領するために報酬会員登録することのような顧客入力を必要とする。
【図面の簡単な説明】
【０００３】
詳しい説明は添付の図面を参照して述べられる。図面では、参照番号の最上位桁は、参照番号が最初に表示された図を識別する。異なる図において同じ参照番号を使用することにより、類似するか、または、同一のアイテムまたは特徴を示す。
【０００４】
【図１】取引インターフェース制御システムに加わるように構成された、商業者ディスプレイおよび顧客ディスプレイを有する販売時点情報管理（ＰＯＳ）システムの例を示す図である。
【図２】取引インターフェース制御システムに加わるように構成された、商業者装置および顧客装置を有する販売時点情報管理（ＰＯＳ）システムを含む環境の例を示す図である。
【図３】入力を受信する顧客ディスプレイの例、および、この入力に応じてロックされたモード（ロックドモード、ｌｏｃｋｅｄ  ｍｏｄｅ）で動作する商業者ディスプレイの例を示す図である。
【図４】入力を受信する商業者ディスプレイの例、および、この入力に応じてロックされたモードで動作する顧客ディスプレイの例を示す図である。
【図５】同時の複数の取引を実行するように構成された販売時点情報管理システムの商業者ディスプレイの例を示す図である。
【図６】販売時点情報管理（ＰＯＳ）システムの商業者ディスプレイ上で入力を制御するプロセスの例のフローチャートを示す図である。
【図７】販売時点情報管理（ＰＯＳ）システムの商業者ディスプレイ上でロックされたモードを解除するプロセスの例のフローチャートを示す図である。
【図８】第一のユーザ・インターフェースがロックされたモードにあるとき同時の複数の取引を実行するための販売時点情報管理（ＰＯＳ）システムのプロセスの例のフローチャートを示す図である。
【図９】幾つかの実施形態により、顧客と販売時点情報管理（ＰＯＳ）取引を行う際に商業者が利用できる商業者装置の抜粋された構成部品の例を示す図である。
【図１０】幾つかの実施形態により、商業者と取引を行う際に顧客が利用できる顧客装置の抜粋された構成部品の例を示す図である。
【発明を実施するための形態】
【０００５】
ここに記述される幾つかの実施形態は、取引中の商業者および顧客による同時入力を防止するように構成された取引インターフェース制御機構を含む販売時点情報管理（ＰＯＳ）システムの技術および構成を含む。ＰＯＳシステムは、商業者対面ディスプレイ上に表示される商業者ユーザ・インターフェース（ＵＩ）と顧客対面ディスプレイ上に示される顧客ＵＩとを含むことができる。幾つかの場合には、商業者ＵＩは商業者装置のディスプレイ上にあり得、顧客ＵＩは顧客装置のディスプレイ上にあり得る。そのような場合には、商業者装置および顧客装置は、有線または無線接続を介して操作可能に接続され得る。
【０００６】
取引インターフェース制御機構は、商業者ＵＩおよび／または顧客ＵＩを介して入力を認識することができ、商業者ＵＩまたは顧客ＵＩのうちの他方の上で入力を防止することができる。商業者ＵＩまたは顧客ＵＩの上記他方にロックされたモードに入らせることによって、取引インターフェース制御機構は入力を防止することができる。それぞれの装置が他の装置から入力完了の通知（ｉｎｄｉｃａｔｉｏｎ）を受信するまで、商業者ＵＩまたは顧客ＵＩの上記他方は上記ロックされたモードのままでいることができる。
【０００７】
幾つかの場合には、ロックされたモードはＵＩを介する入力を実質的に不可能にして、ＵＩを介しての入力の選択（例えば、ロックされたモードの解除、代替のＵＩの選択等）をすることを可能にすることができる。例えば、商業者ＵＩは、ロックされたモードで動作している間に利用できるロックされたモードの解除の選択を含むことができる。そのような例では、ロックされたモードは他の入力を防止することができるが、商業者ＵＩがロックされたモードから出ることができる手段を提供することもできる。このような場合には、商業者ＵＩは、ＰＯＳシステムの最終的な制御を維持することができる。
【０００８】
他の１つの例では、商業者ＵＩがロックされたモードで動作している間の商業者装置は代替の商業者ＵＩの選択を含むことができる。代替の商業者ＵＩは、ＰＯＳシステムが第二の顧客との同時の取引を処理することができる手段を提供することができる。商業者はロックされたモードで動作している第一のＵＩを最小にする（例えば、商業者ディスプレイ上で脇に置く）ことができ、第二のＵＩで取引を処理することができる。
【０００９】
ＰＯＳシステムの取引インターフェース制御機構は、顧客と商業者との間の取引を最適化することの技術的な利点を有することができる。取引インターフェース制御機構が商業者および顧客による同時入力を防止し得るので、取引情報はより効率的に入力され得、それによって、特定の取引のために必要とされる所要時間を減少させることができる。このように、商業者は固定時間内により多くの取引を処理することができるであろう。更に、ここに記述されるＰＯＳシステムは、商業者が２人以上の顧客と同時取引を行うことを可能にすることができる第二の商業者ＵＩの用意をすることができる。このように、潜在的には、商業者は固定時間内に更により大きな数の取引を処理することができたであろう。
【００１０】
更にまた、商業者および顧客による同時入力に起因する遅れを防止することによって、ここに記述されるＰＯＳシステムの取引インターフェース制御機構は、コンピュータ自体の機能性を改善することができる。最初にどのデータを処理するべきか、或いは、所定の状況でいずれの当事者が優先権を有するかについてはシステムは知らない場合があるので、商業者および顧客による同時入力はＰＯＳシステムの遅れを引き起こす場合がある。しかし、取引インターフェース制御機構が１つのＵＩへの入力を認識し、自動的に他方のＵＩをロックされたモードに入らせ得るので、ここに記述されるＰＯＳシステムは同時に顧客ＵＩおよび商業者ＵＩへの情報が入力されることを避けることができ、それによって、コンピュータ自体の機能性を改善することができる。
【００１１】
ここで使用される場合は、特に明記しない限り、「商業者ＵＩ」という用語はＰＯＳシステムの商業者ディスプレイ上のユーザ・インターフェースを意味する。「顧客ＵＩ」という用語は、ＰＯＳシステムの顧客ディスプレイ上の、或いは、商業者装置と取引を行うように構成された顧客装置上の、ユーザ・インターフェースを意味する。
【００１２】
議論の目的で、例えば、取引を行う際に使用されるＰＯＳシステムのような実施形態の例を、対応する図面を参照して以下に記述する。しかし、ここの実施形態はＰＯＳシステムに限られない。ここの開示を考慮して当業者にとって明らかであるように、ここに議論される技術は、他の環境、他のシステム・アーキテクチャ、他の種類のアプリケーション、その他に応用され得る。
【００１３】
図１は、取引インターフェース制御システムに加わるように構成された、（例えば、商業者端末のような）商業者ディスプレイ１０２および（例えば、顧客端末のような）顧客ディスプレイ１０４を有する販売時点情報管理（ＰＯＳ）システム１００の例を示す。様々の例において、商業者ディスプレイ１０２および顧客ディスプレイ１０４は、それぞれ、１つの商業者および顧客装置の構成部品であり得る。図示された例において、商業者ディスプレイ１０２および顧客ディスプレイ１０４は、商業者装置１０６の構成部品である。
【００１４】
商業者装置１０６は、商業者１１０と顧客１１２との間のＰＯＳ取引を可能にするために、商業者アプリケーション１０８の例を含む任意の移動型装置または非移動型装置を含むことができる。商業者アプリケーション１０８は、（例えば、オーナー、従業員、個々のユーザ等のような）商業者１１０が顧客から支払いを受信することができるようにするために、商業者装置１０６にＰＯＳ機能を提供することができる。ある種のビジネスにおいては、商業者装置１０６は、商業者１１０の店または他の事業所に対応する場合があり、したがって、一般に日毎に変わらない固定位置であり得る。しかし、例えば、商業者１１０がフード・トラック（ｆｏｏｄ  ｔｒｕｃｋ）を運営している場合、街頭販売者、タクシー・ドライバ等である場合、または、（例えば、商業者が買い手の家、事業所等でアイテムを販売する場合のような）移動型ビジネスを行っている場合のような、他の種類の企業においては、商業者装置１０６は時々変わり得る。
【００１５】
ここで使用されるときには、商業者１１０とは、顧客が取得するための商品またはサービスの提供に携わる任意のビジネスを含み得るものとする。商業者１１０に属すると考えられる動作は、商業者１１０のオーナー、従業員、または、他の代理店によって行われる動作を含み得、したがって、ここでは、特に議論されない限り区別されない。更に、ここで使用されるときには、顧客１１２とは、商業者１１０から商品および／またはサービスを、例えば、購買、賃貸、リース、借用、借入、ライセンシング等によって獲得する任意の実体を含み得る。以下において、商業者１１０によって提供される商品および／またはサービスはアイテムと呼ばれる場合がある。このように、顧客が商業者１１０からアイテム１１４を獲得する取引を行うために、商業者１１０と顧客１１２とは互いに対話することができ、顧客１１２は引き換えに商業者１１０に支払いをする。現金、支払い装置（ｐａｙｍｅｎｔ  ｉｎｓｔｒｕｍｅｎｔ）１１６、または、一方の当事者から他方へ資金を転送する他の方法によって、顧客１１２は商業者１１０に支払いをすることができる。
【００１６】
商業者装置１０６は、支払いオブジェクト・リーダ１１８に通信的に接続され得る。支払いオブジェクト・リーダ１１８は、磁気ストライプ・カード、ＥＭＶチップ型カード、または、ＮＦＣ対応支払い装置１１６からデータを読み込むことができ、商業者装置１０６へ前述のデータを伝達することができる。様々の例において、支払いオブジェクト・リーダ１１８は、商業者装置１０６と一体であるか、または、商業者装置１０６に直接接続され得る。幾つかの例においては、支払いオブジェクト・リーダ１１８は、（例えば、ＷｉＦｉ、ブルートゥース、ＢＬＥ（ブルートゥースローエナジー、ＮＦＣのような）無線接続、または、他の適切な短距離通信によって、前述の商業者装置に通信的に接続され得る。
【００１７】
商業者装置１０６、支払い装置１１４、支払いオブジェクト・リーダ１１８、および／または、顧客装置の間の通信を容易にするために、商業者装置１０６は、一つまたは複数の通信インターフェース１２０を含むことができる。一つまたは複数の通信インターフェース１２０は、（例えば、イーサネット、ＤＯＣＳＩＳ、ＤＳＬ、Ｆｉｂｅｒ、ＵＳＢ等のような）有線ネットワーク、（例えば、ＷＬＡＮ、ＧＳＭ、ＣＤＭＡ、８０２．１１、ブルートゥース、無線ＵＳＢ、携帯電話、衛星等のような）無線ネットワーク、インターネット等を含む多種多様なネットワークおよびプロトコルの種別の範囲内で通信を容易にすることができる。通信インターフェース１２０は、（例えば、ストレージ・アレイ、ネットワーク・アタッチト・ストレージ（ｎｅｔｗｏｒｋ  ａｔｔａｃｈｅｄ  ｓｔｏｒａｇｅ）、ストレージ・エリア・ネットワーク（ｓｔｏｒａｇｅ  ａｒｅａ  ｎｅｔｗｏｒｋ等のような）外部記憶装置（図示せず）との通信をも提供することができる。
【００１８】
商業者装置１０６の一つまたは複数の通信インターフェース１２０は、商業者装置１０６と支払い処理システムとの間の通信をも容易にすることができる。上に示したように、支払いオブジェクト・リーダ１１８は、支払い装置からのデータを読み込むことから支払い装置１１６の情報（例えば、銀行、クレジットカード会社、アカウント番号等）を受信することができ、商業者装置１０６へ前述のデータを送信することができる。様々の例において、支払いオブジェクト・リーダ１１８は、支払い装置１１６から暗号化されたデータを受信することができ、そして／または、支払い装置１１６から受信された前述の支払い情報を暗号化することができる。そのような例においては、支払いオブジェクト・リーダ１１８は、前述の暗号化された支払い装置情報を商業者装置１０６上の商業者アプリケーション１０８に提供することができる。
【００１９】
様々の例において、商業者アプリケーション１０８は、前述の支払い装置情報を受信することができ、この情報を、取引データ（例えば、支払い装置データ、総量、時刻、場所、および、取引に関連した他のデータ）と共に、支払い処理システムへ送信することができる。支払い処理システムは、その中で商業者１１０が顧客との電子ＰＯＳ取引を行うことができる支払いサービスであり得る。支払い処理サービスは、商業者装置１０６、カード支払いネットワーク、および／または、銀行または他の金融機関の支払システムと通信することによって安全な電子金融取引（例えば、取引中の支払い）を処理するように構成された一つまたは複数のサーバを含むことができる。様々の例において、前述の支払い装置情報は暗号化され得る。そのような例において、商業者装置１０６および／または商業者アプリケーション１０８は、商品および／またはサービスに対する支払いが処理される手段を提供することができる。そのようにして、顧客支払い情報は、商業者の視界から隠され得る。
【００２０】
商業者アプリケーション１０８は、一つまたは複数の入出力（Ｉ／Ｏ）インターフェース１２２を介して受信される入力を処理するように構成され得る。入出力インターフェース１２２は、例えば、キーボード、マウス、ペン、ゲーム・コントローラ、音声入力装置、タッチ入力装置、身振りによる入力装置、または、入力を受信することができる他の任意の装置のような周辺入力装置を含むことができる。この入力は、例えば、プレゼンス・センシティブ・ディスプレイ（ｐｒｅｓｅｎｃｅ−ｓｅｎｓｉｔｉｖｅ  ｄｉｓｐｌａｙ）の近くに指を置くことによって、或いは、キーボードまたは他の入力機構を用いることによって、商業者装置１０６のユーザが触れるか、或いは、触れる振りをすることのような）入力イベントを含むことができる。様々の例において、上記の入力は、（例えば、商品および／またはサービスの支払い処理のような）商業者アプリケーション１０８による取引の処理に関連した一連の入力イベントを含み得る。
【００２１】
図示された例において、商業者装置１０６は、顧客ディスプレイ１０４上の入出力インターフェース１２２（１）および商業者ディスプレイ１０２上の入出力インターフェース１２２（２）を含むことができる。そのような例において、商業者アプリケーション１０８は、入出力インターフェース１２２（１）を介する顧客１１２からの入力、および、入出力インターフェース１２２（２）を介する商業者からの入力を受信することができる。
【００２２】
様々の例において、商業者装置１０６は、入出力インターフェース１２２（１）および１２２（２）を介する同時入力を防止するように構成された一つまたは複数の制御モジュール１２４を含むことができる。制御モジュール１２４（１）または１２４（２）は、それぞれの入出力インターフェース１２２（１）または１２２（２）から通知を受信することができ、他の制御モジュール１２４（１）または１２４（２）へ信号を送信することができる。この信号は、それぞれのディスプレイ上のユーザ・インターフェースをロックするという指示を含むことができる。例えば、もし顧客が顧客ディスプレイ１０４上の入出力インターフェース１２２（１）を介してデータを入力し始めるならば、制御モジュール１２４（１）は、その入力を示すメッセージを制御モジュール１２４（２）へ送信することができる。制御モジュール１２４（２）は、このメッセージを受信して、自動的に商業者ディスプレイ上でロックされたモードを起動し、それによって、入出力インターフェース１２２（２）を介する商業者１１０による入力を防止する、そして／または、実質的に防止することができる。
【００２３】
様々の例において、制御モジュール１２４（１）は、顧客が入出力インターフェース１２２（１）に機密情報（例えば、個人識別情報）を入力していることを確認することができる。例えば、顧客がユーザ・プロファイルを構成するとき、顧客ＵＩは顧客財政情報を要求することができる。機密情報入力の確認に基づいて、制御モジュール１２４（１）は、この入力を示すメッセージを制御モジュール１２４（２）へ送信することができる。このメッセージに応じて、制御モジュール１２４（２）は商業者ディスプレイ１０２のロックされたモードを起動することができる。
【００２４】
様々の例において、商業者ディスプレイ１０２は、顧客１１２によるこの情報入力を表示することができる。そのような例において、商業者１１０は経過を追跡する、そして／または、顧客１１２がデータ入力中に持つかもしれない疑問に答えることができる。幾つかの例において、例えば、機密情報が顧客によって入力されるとき、制御モジュール１２４（２）は、情報の少なくとも一部が商業者ディスプレイ１０２から編集されるようにすることができる。
【００２５】
幾つかの例において、商業者制御モジュール１２４（２）は、ロックされたモードの解除を含むことができる。そのような例において、商業者１１０は解除オプションを選んで、ロックされたモードから出ることができる。様々の例において、商業者ディスプレイの入出力インターフェース１２２（２）は、ロックされたユーザ・インターフェースを最小にする、そして／または、縮小することができ、更に、商業者が、同一または異なる顧客との第二のＰＯＳ取引のために取引データを入力することを許容することができる。
【００２６】
図２は、取引処理のために通信するように構成された商業者装置２０２および顧客装置２０４を有する販売時点情報管理（ＰＯＳ）システムを含む環境の例２００を示す。例えば、商業者装置１０６のような商業者装置２０２は、商業者２０８と顧客２１０との間のＰＯＳ取引を可能にするための商業者アプリケーション２０６の例を含む任意の種類の移動型または非移動型装置を含むことができる。商業者アプリケーション２０６は、商業者２０８（例えば、オーナー、従業員、個々のユーザ等）が顧客から支払いを受信することを可能にするためのＰＯＳ機能を商業者装置２０２へ提供することができる。
【００２７】
顧客装置２０４は、顧客アプリケーション２１２の例を含む任意の種類の移動型または非移動型装置を含むことができる。顧客アプリケーション２１２は、それによって顧客２１０が商業者２０８とのＰＯＳ取引を（例えば、商業者アプリケーション２０６による通信を介して）行うことができる手段を提供することができる。様々の例において、一つまたは複数のアイテム２１６に対する支払いを処理するために、顧客アプリケーション２１２は、商業者アプリケーション２０６へ支払い情報を送信することができる。
【００２８】
様々の例において、顧客アプリケーション２１２は、銀行アプリケーション、或いは、一つまたは複数のアイテム２１６に対する支払いを転送することを支援するように構成された他のアプリケーションの例を含むことができる。幾つかの例において、顧客アプリケーション２１２は、顧客入力のための商業者アプリケーション２０６の例を含むことができる。例えば、顧客装置２０４は、通信チャネル（例えば、ＷｉＦｉ、ブルートゥース、有線接続等）を介して商業者装置に接続され得る。顧客アプリケーション２１２は、商業者アプリケーション２０６と結合された顧客ＵＩが顧客装置２０４のディスプレイ２１４上に現れるようにすることができる。幾つかの例において、顧客ＵＩは、商業者アプリケーション２０６と通信するように構成された一般的な取引ＵＩであり得る。
【００２９】
通信チャネルを介する通信を容易にするために、顧客装置２０４および商業者装置２０２は、それぞれ、通信インターフェース２１８および２２０を含むことができる。図１の通信インターフェース１２０と同様に、通信インターフェース２１８および２２０は、（例えば、イーサネット、ＤＯＣＳＩＳ、ＤＳＬ、Ｆｉｂｅｒ、ＵＳＢ他のような）有線ネットワーク、および、（例えば、ＷＬＡＮ、ＧＳＭ、ＣＤＭＡ、８０２．１１、ブルートゥース、無線ＵＳＢ、携帯電話、衛星等のような）無線ネットワーク、および、インターネット等を含む多種多様なネットワークおよびプロトコルの種別の範囲内での通信を容易にする。
【００３０】
様々の例において、通信インターフェース２１８および２２０は、それぞれの装置への入力に基づいて、顧客装置２０４と商業者装置２０２との間でメッセージを送信することができる。この入力は、顧客装置２０４上の入出力インターフェース２２２および／または商業者装置２０２上の入出力インターフェース２２４を介するものであり得る。入出力インターフェース２２２および２２４は、（例えば、キーボード、マウス、ペン、ゲーム・コントローラ、音声入力装置、タッチ入力装置、身振りによる入力装置、または、入力を受信することができる他の任意の装置のような）周辺入力装置を含むことができる。上記の入力は、（例えば、プレゼンス・センシティブ・ディスプレイのようなディスプレイ２２６の近くに指を置くことによって、或いは、キーボードまたは他の入力機構を用いることによって、商業者が触れるか、或いは、触れる振りをすることのような）入力イベントを含むことができる。様々の例において、上記の入力は、（例えば、商品および／またはサービスの支払い処理のような）商業者アプリケーション２０６を介する取引の処理に関連した一連の入力イベントを含み得る。
【００３１】
様々の例において、顧客装置２０４および商業者装置２０２は、それぞれ、制御モジュール２２８および２３０を含むことができる。そのような例において、制御モジュール２２８および２３０は、それぞれ、入出力インターフェース２２２および２２４による同時入力を防止するように構成され得る。
【００３２】
制御モジュール２２８または２３０は、それぞれの入出力インターフェース２２２または２２４から通知を受信することができ、他の制御モジュール２２８または２３０へ信号を送信することができる。この信号は、それぞれのディスプレイ上のユーザ・インターフェースをロックするという指示を含むことができる。例えば、もし、顧客が顧客装置２０４上の入出力インターフェース２２２を介してデータを入力し始めるなら、制御モジュール２２８は、この入力を示すメッセージを商業者装置２０２上の制御モジュール２３０へ送信することができる。制御モジュール２３０は、このメッセージを受信して、自動的に商業者装置２０２のディスプレイ２２６上でロックされたモードを起動し、それによって、入出力インターフェース２２４を介する商業者２０８による入力を防止する、そして／または、実質的に防止することができる。
【００３３】
様々の例において、制御モジュール２２８または２３０は、それぞれの入出力インターフェース２２２または２２４を介して受信される入力の種類に基づいて他の制御モジュール２２８または２３０へ信号を送信することができる。そのような例において、この信号は、支払い情報、個人識別情報、または、他の機密情報の入力に基づいて送信され得る。
【００３４】
幾つかの例において、ロックされたモードで動作しているとき、顧客装置２０４および商業者装置２０２のそれぞれのディスプレイ２１４および２２６は、相手方によって入力された情報を表示することができる。そのような例において、顧客２１０および商業者２０８の各々は、経過を追跡する、そして／または、データ入力中に相手方が持つかもしれない疑問に答えることができる。幾つかの例において、例えば、当事者が機密情報を入力しているときのように、それぞれの制御モジュール２２８および２３０は、この情報の少なくとも一部が編集されるようにすることができる。
【００３５】
様々の例において、商業者制御モジュール２３０は、ロックされたモードの解除を含むことができる。そのような例において、商業者２０８は解除オプションを選ぶことができて、ロックされたモードを出ることができる。
【００３６】
様々の例において、業者装置２０２上の入出力インターフェース２２４は、ロックされたユーザ・インターフェースを最小にする、そして／または、縮小することができ、更に、商業者２０８が、同一または異なる顧客との第二のＰＯＳ取引のために取引データを入力することを可能にすることができる。
【００３７】
図３は、入力を受信するＰＯＳシステム顧客ディスプレイ３０２の例、および、この入力に応じてロックされたモードで動作するＰＯＳシステムの商業者ディスプレイ３０４の例を示す。様々の例において、顧客ディスプレイ３０２は、例えば、顧客装置２０４のような顧客装置のディスプレイであり得、商業者ディスプレイ３０４は、例えば、商業者装置２０２のような商業者装置のディスプレイであり得る。そのような例において、顧客装置および商業者装置は、ＰＯＳ取引を行うためにＰＯＳシステムとして共に動作するように構成され得る。幾つかの例において、ＰＯＳシステムは、例えば、商業者装置１０６のような顧客ディスプレイ３０２および商業者ディスプレイ３０４を含む商業者装置を含むことができる。
【００３８】
顧客ディスプレイ３０２は顧客インターフェース３０６を含むことができ、商業者ディスプレイ３０４は商業者インターフェース３０８を含むことができる。顧客インターフェース３０６および商業者インターフェース３０８の各々は、それぞれのユーザからの入力を受け入れるように構成され得る。図示された例において、顧客インターフェース３０６および商業者インターフェース３０８は、タッチスクリーン入出力インターフェースを含むことができる。タッチスクリーン入出力インターフェースは、キーボード３１２、または、データ入力を容易にする他のタッチスクリーン機構を含むことができる。幾つかの例において、顧客インターフェース３０６および／または商業者インターフェース３０８は、（例えば、外部キーボード、マウス、または、他の入力装置のような）一つまたは複数の他の入力装置を介して入力を受信することができる。
【００３９】
図３に示されるように、顧客インターフェース３０６は顧客３１０から入力を受信するように構成され得る。顧客３１０からの入力は、例えば、制御モジュール１２４（１）のような顧客ディスプレイと結合された制御モジュールによって記録され得る。制御モジュールは、顧客ユーザ・インターフェース３０６および商業者インターフェース３０８への同時入力を防止するように構成され得る。顧客ディスプレイ３０２と結合された制御モジュールは、顧客３１０からの入力の通知を受信することができ、商業者ディスプレイ３０４と結合された制御モジュールへ入力の信号を送信することができる。この入力の信号は、商業者インターフェース３０８がロックされたモードに入るようにという指示を含むことができる。ロックされたモードは、商業者インターフェース３０８を介する商業者入力を防止する、そして／または、実質的に防止することができる。様々の例において、商業者インターフェース３０８は、前述の入力の信号の受信に際し、自動的にロックされたモードに入り得る。そのような例において、顧客ディスプレイ３０２と結合された制御モジュールは、商業者インターフェース３０８がロックされたモードに入るようにすることができる。幾つかの例において、ディスプレイ３０４と結合された制御モジュールは、前述の入力の信号を受信することができ、例えば、「ロックされたモードに入る？」の問い、「はい」または「いいえ」のように、それによって商業者がロックされたモードを選択することができる手段を提供することができる。商業者インターフェース３０８は、「はい」という商業者入力に応じてロックされたモードに入り得る。
【００４０】
様々の例において、商業者インターフェース３０８は、ロックされたモードの通知３１４を表示することができる。幾つかの例において、このロックされたモードの通知３１４は、例えば、「顧客入力受信」のようなロックされたモードに入る理由を商業者に通知するアラート（ａｌｅｒｔ）３１６を含むことができる。幾つかの例において、上記のロックされたモードの通知３１４は、顧客インターフェース３０６を介して入力される情報の少なくとも一部の視覚的表現を含むことができる。そのような例において、商業者は顧客の入力の経過を追跡することができるようにしてもよい。顧客インターフェース３０６の視覚的表現を含む例において、顧客ディスプレイ３０２と結合された制御モジュール、および／または、商業者ディスプレイ３０４と結合された制御モジュールは、顧客によって入力される機密情報（例えば、個人識別情報）を編集することができる。例えば、商業者報酬プログラム・アプリケーションは、顧客を特定の買い物カテゴリーに分類するために用いられる顧客財政情報を含むことができる。しかし、この財政情報は、商業者報酬プログラムのみによって使用され得、商業者の観点から編集され得る。
【００４１】
様々の例において、商業者ディスプレイ３０４と結合された制御モジュールは、顧客ディスプレイ３０２と結合された制御モジュールから、入力完了の通知を受信することができる。そのような例において、顧客は入力完了ボタン３１８によって入力完了を示すことができる。入力完了ボタン３１８による入力に応じて、顧客ディスプレイ３０２と結合された制御モジュールは、商業者ディスプレイ３０４と結合された制御モジュールへ信号を送って、顧客が入力を完了していることを示すことができる。幾つかの例において、商業者ディスプレイ３０４と結合された制御モジュールは、完了信号の受信に応じてロックされたモードを解除することができる。様々の例において、商業者ディスプレイ３０４と結合された制御モジュールは、長い時間ロックされることを防ぐために、所定の時間の後に自動的にロックされたモードを解除することができる。例えば、商業者ディスプレイ３０４と結合された制御モジュールは、１分間ロックされた後に、商業者インターフェース３０８上でロックされたモードを解除することができる。他の１つの例では、商業者インターフェース３０８のロックされたモードは、ロックされたモードでの２分間の動作の後、ロックを解かれ得る。
【００４２】
様々の例において、商業者ディスプレイ３０４と結合された制御モジュールは、ロックされたモードの解除を含むことができる。そのような例において、このロックされたモードの解除は、商業者が買い手の入力に優先してＰＯＳ取引を管理するための（「買い手入力を解除」として示される）解除の選択３２０を含むことができる。解除の選択３２０による入力に応じて、商業者ディスプレイ３０４と結合された制御モジュールは、商業者アプリケーションに入力優先権を確立することができる。幾つかの例において、解除の選択３２０による入力に応じて、顧客ディスプレイ３０２と結合された制御モジュールは、顧客ディスプレイ３０２がロックされたモードに入るようにして、それによって顧客インターフェース３０６を介する入力を防止する、そして／または、実質的に防止することができる。
【００４３】
更に、または、代わりに、ＰＯＳシステムが第二の顧客と同時取引を処理することができる手段を提供するために、商業者ディスプレイ３０４と結合された制御モジュールは、第二の商業者ＵＩを含むことができる。以下の図５に更に詳細に記述されるように、商業者ディスプレイ３０４は代替の取引の選択３２２を含むことができる。代替の取引の選択３２２は、ロックされたモードから独立であることが可能であり、したがって、商業者インターフェース３０８がロックされたモードで動作している間に選択され得る。様々の例において、代替の取引の選択３２２の選択に応じて、ロックされた商業者インターフェースは最小にされる、そして／または、商業者ディスプレイ３０４上において、より小さくされることができる。更に、代替の取引の選択３２２の選択に応じて、商業者ディスプレイ３０４上に第二の商業者インターフェースが表示され得る。第二の商業者インターフェースは、ＰＯＳシステムが顧客３０８から入力を受信する間に商業者が第二の顧客と第二の取引を行うことができる手段を提供することができる。
【００４４】
図４は、入力を受けている商業者ディスプレイ４０２の例と、入力に応じてロックされたモードで動作する顧客ディスプレイ４０４の例とを示す。図１〜図３に関して上に示したように、商業者ディスプレイ４０２および顧客ディスプレイ４０４は、ＰＯＳシステム内で共に動作するように構成された、ＰＯＳシステムの商業者装置上のディスプレイ、或いは、それぞれの顧客および商業者装置上のディスプレイであり得る。
【００４５】
商業者ディスプレイ４０２および顧客ディスプレイ４０４は、それぞれのユーザ・インターフェースを含むことができる。商業者インターフェース４０６は、取引に関係する取引データ（例えば、購入されるアイテム、価格、税、恩典、割引等）、支払い方法データ（例えば、クレジットカード、デビット・カード、現金、電子資金移動等）、商業者報酬情報、および、他の任意の情報を含むことができる。顧客インターフェース４０８は、取引に関連した顧客情報（例えば、支払い方法、署名、顧客個人情報等）を含むことができる。
【００４６】
図示された例において、商業者インターフェース４０６および顧客インターフェース４０８は、タッチスクリーン入出力インターフェースを含む。他の例においては、それぞれのインターフェース４０６および４０８は、例えば、外部キーボード、マウス、または、他の入力装置のような一つまたは複数の他の入力装置を介する入力を受信することができる。
【００４７】
商業者４１０からの入力は、例えば、制御モジュール１２４（２）のような商業者ディスプレイ４０２と結合された制御モジュールによって記録され得る。この制御モジュールは、商業者インターフェース４０６および顧客インターフェース４０８への同時入力を防止するように構成され得る。商業者ディスプレイ４０２と結合された制御モジュールは、商業者４１０からの前述の入力の通知を受信して、顧客ディスプレイ４０４と結合された制御モジュールへ入力の信号を送信することができる。この入力の信号は、顧客ディスプレイ４０４がロックされたモードに入るようにという指示を含むことができる。顧客ディスプレイ４０４上のロックされたモードは、顧客インターフェース４０８を介する顧客入力を防止することができる。様々の例において、顧客インターフェース４０８および／または顧客ディスプレイ４０２は、前述の入力の信号の受信に際して自動的にロックされたモードに入ることができる。
【００４８】
様々の例において、顧客インターフェース４０８はロックされたモードの通知４１２を表示することができる。幾つかの例において、ロックされたモードの通知４１２は、例えば、「商業者入力受信」のようなロックされたモードに入る理由を顧客に通知するアラート４１４を含むことができる。幾つかの例において、ロックされたモードの通知４１２は、商業者インターフェース４０６を介して入力される情報の少なくとも一部の視覚的表現を含むことができる。そのような例において、顧客は、例えば、取引中にアイテムを入れるような商業者の入力を追跡し得るようにしてもよい。
【００４９】
様々の例において、顧客ディスプレイ４０４と結合された制御モジュールは、商業者ディスプレイ４０２と結合された制御モジュールから、入力完了の通知を受信することができる。そのような例において、商業者は入力完了ボタン４１６によって入力完了を示すことができる。入力完了ボタン４１６による入力に応じて、商業者ディスプレイ４０２と結合された制御モジュールは、顧客ディスプレイ４０４と結合された制御モジュールへ、商業者入力が終了したことを示す信号を送信することができる。幾つかの例においては、商業者入力完了の通知の受信に応じて、顧客装置４０４と結合された制御モジュールは、ロックされたモードを自動的に解除することができる。
【００５０】
図５は、同時の複数の取引を実行するように構成されたＰＯＳシステムの商業者ディスプレイ５００の例を示す。第一の商業者インターフェース５０２は、ＰＯＳシステムの顧客ディスプレイ上で顧客インターフェースを介する顧客入力を示す信号を受信することができる。様々の例において、この信号は、第一の商業者インターフェース５０２がロックされたモードに入るようにという指示を含むことができる。様々の例においては、上記信号の受信に応じて、商業者ディスプレイ５００と結合された制御モジュールは、第一の商業者インターフェース５０２がロックされたモードに入るようにすることができる。ロックされたモードは、第一の商業者インターフェース５０２への入力を防止する、そして／または、実質的に防止することができる。
【００５１】
様々の例において、第一の商業者インターフェース５０２は、ロックされたモードの通知５０４を表示することができる。幾つかの例において、ロックされたモードの通知５０４は、例えば、「顧客入力受信」のようなロックされたモードに入る理由を商業者に通知するアラート５０６を含むことができる。幾つかの例において、ロックされたモードの通知５０４は、顧客ユーザ・インターフェースを介して入力された情報の少なくとも一部の視覚的表現を含むことができる。そのような例において、商業者は顧客の入力の経過を追跡することができるようにしてもよい。顧客ユーザ・インターフェースの視覚的表現を含む例において、顧客ディスプレイと結合された制御モジュール、および／または、商業者ディスプレイ５００と結合された制御モジュールは、顧客によって入力される機密情報（例えば、個人識別情報）を編集することができる。例えば、商業者報酬プログラム・アプリケーションは、顧客を特定の買い物カテゴリーに分類するために用いられる顧客財政情報を含むことができる。しかし、財政情報は、商業者報酬プログラムのみによって使用され得、商業者の観点から編集され得る。他の１つの例においては、例えば、支払い装置番号、署名、および／または、ピン番号のような顧客による支払い情報の入力は商業者の観点から編集され得る。
【００５２】
様々の例において、第一の商業者インターフェース５０２は、代替の取引の選択５０８を含むことができる。代替の取引の選択５０８は、ロックされたモードから独立であることが可能で、このように、第一の商業者インターフェース５０２がロックされたモードで動作している間に選ばれ得る。様々の例においては、代替の取引の選択５０８の選択に応じて、第一の商業者インターフェースは、最小にされる、そして／または、商業者ディスプレイ５００上で、より小さくされることができる。図示された例において、第一の商業者インターフェース５０２は、商業者ディスプレイ５００のおよそ半分に等価なサイズにまで最小化される。他の例においては、第一の商業者インターフェース５０２は、商業者ディスプレイ５００の、より大きいか、または、小さい部分に表示され得る。
【００５３】
更に、代替の取引の選択５０８が選択されることに応じて、第二の商業者インターフェース５１０が商業者ディスプレイ５００上に表示され得る。第二の商業者インターフェース５１０は、第一の商業者インターフェースがロックされる間（例えば、ＰＯＳシステムは顧客から入力を受信している間）に、商業者が第二の顧客と第二の取引を行うことができる手段を提供することができる。第二の商業者インターフェース５１０は、第二の取引に関連した取引データ（例えば、売られた商品、供されたサービス、量、税、恩典、時刻、場所、および、この取引に関連した他のデータ）を受信することができる。
【００５４】
様々の例において、第二の商業者インターフェース５１０は、第二の顧客と現金ＰＯＳ取引を行うことができる。幾つかの例において、第二の商業者インターフェース５１０は、電子資金移動または第二の顧客との他の支払い方法のＰＯＳ取引を行うことができる。第二の商業者インターフェース５１０は、第二の取引の処理のために商業者アプリケーションへ取引データおよび支払い情報を送信することができる。幾つかの例において、第二の取引の処理は、支払い処理サービスによるものであり得る。第一の商業者インターフェースがロックされる間、商業者は複数の顧客との同時の複数の取引を実施し続けることができる。様々の例において、第一の商業者インターフェース５０２および／または第二の商業者インターフェース５１０は、例えば、制御モジュールを介して、第一の顧客が顧客インターフェースを介する入力を完了しているという通知を受信することができる。そのような例において、商業者は、第一の商業者インターフェース５０２を介する第一の取引を再び始めることができる。
【００５５】
図６〜図８は、ＰＯＳシステムのユーザ・インターフェースを介して入力を制御するプロセスのフローチャートを示す。プロセス６００、７００、および、８００は、動作のシーケンスを示す論理的フローチャートにおけるブロックの集合として示され、このシーケンスの一部または全てが、ハードウェア、ソフトウェア、または、それらの組合せにおいて実現され得る。ソフトウェアとしては、上記のブロックは、一つまたは複数のコンピュータ読取り可能媒体に記憶されたコンピュータ実行可能命令を表すことができ、これらのコンピュータ実行可能命令が、一つまたは複数のプロセッサによって実行されるときに記述された動作を実行するように、これらのプロセッサをプログラムする。通常、コンピュータ実行可能命令は、特定の機能を実行するか、特定のデータ型を実装するルーチン、プログラム、オブジェクト、コンポーネント、データ構造等を含む。ブロックが記述される順序は、制限として解釈されてはならない。前述のプロセスまたは代替のプロセスを実現するために、任意の数の記述されたブロックが、任意の順に、および／または、平行に、結合され得るが、前述のブロックの全てが実行される必要があるというわけではない。説明のために、上記のプロセスは、これらの例において記述される環境、アーキテクチャ、および、システムを参照して記述されるが、これらのプロセスは多種多様な他の環境、アーキテクチャ、および、システムにおいて実施され得るものである。
【００５６】
図６は、販売時点情報管理（ＰＯＳ）システムの商業者ディスプレイ上で入力を制御するためのプロセス６００のフローチャートを示す。６０２において、ＰＯＳシステムは第一のディスプレイ上に第一のユーザ・インターフェース（ＵＩ）を表示することができる。様々の例において、第一のＵＩは、商業者から入力を受信するように構成された商業者ＵＩを含むことができる。商業者からの入力は、取引データ（例えば、購入されるアイテム、原価、税、恩典、割引等）、支払い方法データ（例えば、クレジットカード、デビット・カード、現金、電子資金移動等）、商業者報酬情報、および、取引に関係する他の任意の情報を含むことができる。他の例においては、第一のＵＩは、顧客から入力を受信するように構成された顧客ＵＩを含むことができる。顧客からの入力は、支払い方法、署名、顧客個人情報、および、他の取引に関係する適切な顧客情報を含むことができる。
【００５７】
６０４にて、ＰＯＳシステムは第二のディスプレイ上に第二のＵＩを表示することができる。第二のＵＩは、商業者または顧客（第一のＵＩが受信するように配置された者ではない当事者）から入力を受信するように配置されたＵＩを含むことができる。
【００５８】
様々の例において、ＰＯＳシステムは、別の装置と結合された第二のディスプレイ上に、第二のＵＩを表示することができる。幾つかの例において、上記別の装置は、取引を行うためにＰＯＳシステム内の商業者装置と通信するように構成された顧客装置であり得る。他の例においては、上記別の装置は、ＰＯＳ取引を処理するために第一の商業者装置と通信するように構成された第二の商業者装置を含むことができる。
【００５９】
６０６にて、ＰＯＳシステムは第一のユーザ・インターフェースを介して入力を受信することができる。この入力は、例えば、プレゼンス・センシティブ・ディスプレイの近くに指を置くことによって、或いは、キーボードまたは他の入力機構を用いることによって、商業者装置のユーザが触れるか、或いは、触れる振りをすることのような入力イベントを含むことができる。様々の例において、上記の入力は、例えば、商品および／またはサービスの支払いの処理のような商業者アプリケーションによる取引の処理に関連した一連の入力イベントを含むことができる。幾つかの例において、上記の入力は、例えば、商業者報酬プログラムにおける顧客プロフィールの設定中におけるような顧客データを入力することに関連した一連の入力イベントを含むことができる。そのような例において、顧客データは、商業者インターフェースを介して商業者によって、および／または、顧客インターフェースを介して顧客によって、入力され得る。
【００６０】
６０８にて、入力を受信することに応じて、ＰＯＳシステムは、第二のユーザ・インターフェースがロックされたモードに入るようにすることができる。様々の例において、第一のＵＩと結合された制御モジュールは、第二のＵＩと結合された制御モジュールへ信号を送って６０６における前述の入力を示すことができる。この信号は、第二のＵＩがロックされたモードに入るようにという指示を含むことができる。ロックされたモードは、ロックされたＵＩに受信されようとしている入力を防止する、そして／または、実質的に防止することができる。
【００６１】
図７は、販売時点情報管理（ＰＯＳ）システムの商業者ディスプレイ上でロックされたモードを解除するプロセス７００のフローチャートを示す。
【００６２】
７０２にて、ＰＯＳシステムは第一のディスプレイ上に第一のＵＩを表示することができる。様々の例において、第一のディスプレイは、商業者装置の２つのディスプレイのうちの１つであり得る。そのような例において、第一のディスプレイは、商業者対面ディスプレイまたは顧客対面ディスプレイであり得る。幾つかの例において、第一のディスプレイは、例えば、ＰＯＳ取引を処理するように構成されたタブレット上の１つのディスプレイのような前述の装置固有のディスプレイであり得る。
【００６３】
７０４にて、ＰＯＳシステムは第二のディスプレイ上に第二のＵＩを表示することができる。様々の例において、第二のディスプレイは、商業者装置と結合されたディスプレイであり得る。幾つかの例において、第二のディスプレイは、第一のディスプレイと結合された装置とは別の装置と結合されたディスプレイであり得る。
【００６４】
７０６にて、ＰＯＳシステムは第二のＵＩを介して入力を受信することができる。この入力は、例えば、プレゼンス・センシティブ・ディスプレイの近くに指を置くことによって、或いは、キーボードまたは他の入力機構を用いることによって、商業者装置のユーザが触れるか、或いは、触れる振りをすることのような入力イベントを含むことができる。様々の例において、上記の入力は、例えば、商品および／またはサービスの支払いの処理のような商業者アプリケーションによって、取引を処理することに関連した一連の入力イベントを含むことができる。幾つかの例において、上記の入力は、例えば、商業者報酬プログラムにおける顧客プロフィールの設定中におけるような顧客データを入力することに関連した一連の入力イベントを含むことができる。そのような例において、顧客データは、商業者インターフェースを介して商業者によって、および／または、顧客インターフェースを介して顧客によって、入力され得る。
【００６５】
７０８にて、ＰＯＳシステムは、上記入力を受信することに応じて、第一のＵＩがロックされたモードに入るようにすることができる。幾つかの例において、ＰＯＳシステムは、第一のディスプレイがロックされたモードに入るようにすることができる。様々の例において、第二のユーザ・インターフェースと結合された制御モジュールは、第一のＵＩと結合された制御モジュールへ信号を送って７０６における入力を示すことができる。この信号は、第一のＵＩがロックされたモードに入るようにという指示を含むことができる。ロックされたモードは、ロックされたＵＩに受信されようとしている入力を実質的に防止することができる。
【００６６】
７１０にて、ＰＯＳシステムは、第一のＵＩを介して、ロックされたモードの解除の通知を受信することができる。様々の例において、第一のＵＩは、解除の選択のインターフェース要素を含むことができる。例えば、解除選択ボタンは、第一のＵＩと関係するユーザが、第二のＵＩを介する入力の完了の前に、ロックされたモードを出ることができる手段を提供することができる。様々の例において、第一のＵＩおよび第二のＵＩは、解除選択ボタンを含むことができる。幾つかの例において、例えば、商業者ＵＩのような第二のＵＩはそうではないが、例えば、顧客ＵＩのような第一のＵＩは、ロックされたモードを解除するための解除選択ボタンを含むことができる。そのような例において、商業者（または第一のＵＩと関係するユーザ）は取引の最終的な制御を維持し得るようにしてもよい。
【００６７】
７１２にて、ＰＯＳシステムは、解除の通知を受信することに応じて、第一のディスプレイ上でロックされたモードを解除することができる。幾つかの例において、第一のディスプレイと結合された制御モジュールは、解除の通知を受信して、ロックされたモードを解除することができる。様々の例において、第一のＵＩ上のロックされたモードの解除によって、第二のＵＩがロックされたモードに入るようにすることができる。そのような例において、ＰＯＳシステムは第一のＵＩおよび第二のＵＩを介するデータの同時入力を防止することができる。
【００６８】
図８は、第一のユーザ・インターフェースがロックされたモードにあるときに同時の複数の取引を実行するための販売時点情報管理（ＰＯＳ）システムのためのプロセス８００のフローチャートを示す。
【００６９】
８０２にて、ＰＯＳシステムは商業者対面ディスプレイ上で第一のＵＩおよび第二のＵＩを表示することができる。商業者対面ディスプレイは商業者装置と結合された少なくとも２つのディスプレイのうちの１つ、或いは、商業者装置と結合された１つのディスプレイであり得る。
【００７０】
８０４にて、ＰＯＳシステムは顧客対面ディスプレイ上に第３のＵＩを表示することができる。顧客対面ディスプレイは商業者装置と結合された少なくとも２つのディスプレイのうちの１つ、或いは、顧客装置と結合された１つのディスプレイであり得る。
【００７１】
８０６にて、ＰＯＳシステムは、第３のＵＩを介して第一の顧客から入力を受信することができる。この入力は、例えば、プレゼンス・センシティブ・ディスプレイの近くに指を置くことによって、或いは、キーボードまたは他の入力機構を用いることによって、顧客が触れるか、或いは、触れる振りをすることのような入力イベントを含むことができる。様々の例において、上記の入力は、例えば、商品および／またはサービスの支払いの処理のような取引を処理することに関連した一連の入力イベントを含むことができる。幾つかの例において、上記の入力は、例えば、商業者報酬プログラムにおける顧客プロフィールの設定中におけるような顧客データを入力することに関連した一連の入力イベントを含むことができる。そのような例において、顧客データは、商業者インターフェースを介して商業者によって、および／または、顧客インターフェースを介して顧客によって、入力され得る。
【００７２】
８０８にて、ＰＯＳシステムは、第一の顧客から入力を受信することに応じて、第一のＵＩがロックされたモードに入るようにすることができる。幾つかの例において、第３のＵＩと結合された制御モジュールは、第一の顧客によって上記の入力を認識することができる。この制御モジュールは、第一のＵＩと結合された制御モジュールへ信号を送信することができる。この信号は、第一のＵＩがロックされたモードに入るようにするという指示を含むことができ、それによって第一のＵＩへの入力を実質的に防止する。
【００７３】
８１０にて、ＰＯＳシステムは、第二のＵＩを介して商業者から入力を受信することができる。幾つかの例において、この入力は代替の取引ボタンの選択を含むことができる。代替の取引ボタンは、ロックされたモードから独立であることが可能で、したがって、第一のＵＩがロックされたモードで動作している間に選択され得る。様々の例においては、代替の取引ボタンの選択に応じて、第一のＵＩは最小にされる、そして／または、商業者ディスプレイ上で、より小さくされ得る。
【００７４】
様々の例において、上記の入力は、第二の顧客と第二の取引を処理することに関連した一連の入力イベントを含むことができる。そのような例において、入力イベントは、取引に関係する取引データ（例えば、購入されるアイテム、原価、税、恩典、割引等）、支払い方法データ（例えば、クレジットカード、デビット・カード、現金、電子資金移動等）、商業者報酬情報、および、他の任意の情報を含むことができる。
【００７５】
８１２にて、ＰＯＳシステムは、第二のＵＩを介して第二の顧客との第二の取引を完了することができる。商業者は、供された商品および／またはサービスに対して第二の顧客から支払いを受信することができる。支払いは、現金、デビット・カード、クレジットカード、ギフトカード、電子資金移動、または、他の有効な支払方法の形であり得る。第二のＵＩは、第二の取引の処理のために、商業者アプリケーションへ取引データと支払い情報を送信することができる。幾つかの例において、第二の取引の処理は、支払い処理サービスによることができる。第一のＵＩがロックされる間、商業者は複数の顧客との同時の複数の取引を実行し続けることができる。様々の例において、第一のＵＩおよび／または第二のＵＩは、第一の顧客が顧客インターフェースを介する入力を完了しているという通知を、例えば、制御モジュールを介して、受信することができる。そのような例において、商業者は第一のＵＩを介して第一の取引を再び始めることができる。このように、商業者は、商業者に面するディスプレイと顧客対面ディスプレイとの間の入力完全性を維持しつつ（例えば、２当事者からの同時入力を防止しつつ）、１つのＰＯＳシステムによって複数の顧客との同時の複数の取引を実行することができ、したがって、ＰＯＳシステムの効率および機能性を改善する。
【００７６】
図９は、幾つかの実施形態による、顧客と販売時点情報管理（ＰＯＳ）取引を行う際に、商業者が利用することができる商業者装置９００の例の抜粋された構成部品の例を示す。商業者装置９００は、商業者と顧客との間の販売時点情報管理（ＰＯＳ）取引を容易にするために用いられるＰＯＳ装置を含むことができる。例えば、商業者装置９００は任意の適当な種類のコンピュータ装置であり得、例えば、移動型、半移動型、半固定、或いは、固定であり得る。商業者装置９００の幾つかの例は：タブレット・コンピュータ装置；スマートフォンおよび移動通信装置；ラップトップ、ネットブック、および、他のポータブルコンピュータまたはセミポータブルコンピュータ；デスクトップ型コンピュータ装置、端末のコンピュータ装置、および、他の半固定または固定のコンピュータ装置；専用レジスタ装置；装着型コンピュータまたは他の身体装着型のコンピュータ装置；或いは、通知を送信し、ここに記述される技術による機能を実行し得る他のコンピュータ装置を含むことができる。
【００７７】
図示された例では、商業者装置９００は、少なくとも１つのプロセッサ９０２、少なくとも１つのメモリ９０４、例えば、ディスプレイ１０２、１０４、および、２２６のような少なくとも１つのディスプレイ９０６、例えば、Ｉ／Ｏインターフェース１２２、２２２、および、２２４のような一つまたは複数の入出力（Ｉ／Ｏ）インターフェース９０８、例えば、通信インターフェース２１８および２２０のような一つまたは複数の通信インターフェース９１０、例えば、支払いカードリーダ１１８のような少なくとも１つのカードリーダ９１２、そして、少なくとも１つのロケーション・コンポーネント（ｌｏｃａｔｉｏｎ  ｃｏｍｐｏｎｅｎｔ）９１４を含む。
【００７８】
各プロセッサ９０２は、一つまたは複数のプロセッサまたは処理コアを有して成る。例えば、プロセッサ９０２は、一つまたは複数のマイクロプロセッサ、マイクロコンピュータ、マイクロコントローラ、デジタルシグナルプロセッサ、中央演算処理装置、ステートマシン、論理回路、および／または、操作上の命令に基づく信号を操作する任意の装置として実装され得る。場合によっては、プロセッサ９０２は、ここに記述されるアルゴリズムおよびプロセスを実行するように特にプログラムされるか構成された任意の適当な種類の一つまたは複数のハードウェア・プロセッサおよび／または論理回路であってもよい。プロセッサ９０２は、メモリ９０４に記憶されるコンピュータで読取り可能なプロセッサ実行可能命令をフェッチし、実行するように構成され得る。
【００７９】
商業者装置９００の構成に依って、メモリ９０４は、有体の非一時的な、コンピュータ記憶媒体の例であってよく、例えば、コンピュータで読取り可能なプロセッサ実行可能命令、データ構造、プログラムモジュール、または、他のデータのような任意の情報の記憶技術で実現された揮発性および不揮発性のメモリ、並びに／或いは、取り外し可能および取り外し不可能な媒体を含み得る。メモリ９０４は、ＲＡＭ、ＲＯＭ、ＥＥＰＲＯＭ、フラッシュメモリ、ソリッドステート記憶装置、磁気ディスク記憶装置、光記憶装置、および／または、他のコンピュータで読取り可能なメディア技術を含み得るが、これに限定されるものではない。更に、場合によっては、ＰＯＳ装置９００は、例えば、ＲＡＩＤ記憶システム、ストレージ・アレイ、ネットワーク・アタッチト・ストレージ、ストレージ・エリア・ネットワーク、クラウド記憶、或いは、情報を格納するために用いられ得、プロセッサ９０２によって直接または他の１つのコンピュータ装置またはネットワークを介してアクセスされ得る他の任意の媒体のような外部記憶装置にアクセスしてもい。したがって、メモリ９０４は、プロセッサ９０２で実行され得る、命令、モジュール、または、コンポーネントを記憶し得るコンピュータ記憶媒体であってもよい。更に、ここで言及されるとき、非一時的コンピュータ読取り可能媒体は、エネルギー、キャリア信号、電磁波、および、信号それ自体のような媒体は除外する。
【００８０】
メモリ９０４は、プロセッサ９０２で実行可能である任意の数の機能コンポーネントを記憶して維持するために用いられ得る。幾つかの実施形態では、これらの機能コンポーネントはプロセッサ９０２で実行可能であり、動作を実施するために実行されるとき、上で商業者装置９００に属すると考えられた動作およびサービスを実施するための操作上の論理を実現する命令またはプログラムを有して成る。メモリ９０４に記憶される商業者装置９００の機能コンポーネントは、（例えば、上述の商業者アプリケーション１０８のような）商業者アプリケーション９１６を含むことができる。商業者アプリケーション９１６は、商業者が、支払いを処理し、取引情報を送信するために支払いサービスと通信することと共に、取引を行う、アイテムを選ぶ、支払いを受信する等を行うことを可能にするために商業者装置９００上で商業者インターフェースを表示することができる。更に、商業者アプリケーション９１６は、顧客が、商業者装置９００の顧客ディスプレイ上でデータを入力することを可能にするために、顧客インターフェースを表示することができる。更なる機能コンポーネントが、商業者装置９００の様々の機能を制御し管理するため、そして、商業者装置９００および／または顧客装置とユーザとの基本的な対話処理を可能にするためのオペレーティングシステム９１８を含むことができる。メモリ９０４は更に、商業者が顧客と様々の取引を行っている間に受信される取引データを含む取引モジュール９２０を記憶することができる。メモリ９０４は、商業者装置９００のユーザ・インターフェース上でロックされたモードを起動するように構成された制御モジュール９２２を更に記憶することができる。ロックされたモードは、第二のユーザ・インターフェースを介するデータの入力の間のユーザ・インターフェースへの入力を防止する、そして／または、実質的に防止することができる。
【００８１】
更に、メモリ９０４は、（前述の機能コンポーネントにより用いられる）データ、データ構造等を更に記憶することができる。例えば、このデータは、商業者によって提供されたアイテムに関する情報を含むアイテム情報９２４を含むことができ、そして、それはアイテムの画像、アイテムの説明、アイテムの価格等を含むことができる。商業者装置９００の種類に依って、メモリ９０４は、更にオプションとして、プログラム、ドライバ等を含み得る他の機能コンポーネントおよびデータ９２６、そして、前述の機能コンポーネントによって使用され、または、生成されたデータを含むことができる。更に、商業者装置９００は、それについて記述されているのは単にここでの議論に関連がある例のみであるが論理的で、プログラムに関係し、物理的な、他の多くの構成コンポーネントを含むことができる。
【００８２】
前述の一つまたは複数の通信インターフェース９１０は、ネットワークを越える、または、直接の、他の様々の装置との通信を容易にするための一つまたは複数のインターフェースおよびハードウェア・コンポーネントを含むことができる。例えば、通信インターフェース９１０は、（例えば、ブルートゥース（登録商標）、ブルートゥース（登録商標）ローエナジー等のような）近距離通信のみでなく、本明細書の他の箇所で付加的に列挙されたような、インターネット、ケーブル・ネットワーク、携帯電話ネットワーク、（例えば、Ｗｉ‐Ｆｉのような）無線ネットワーク、および、有線ネットワークの内の一つまたは複数を介した通信を容易にすることができる。
【００８３】
図９は更に、商業者装置９００が上記の一つまたは複数のディスプレイ９０６を含むことができることを示す。商業者装置９００として使用されるコンピュータ装置の種類に依って、一つまたは複数のディスプレイ９０６には任意の適当なディスプレイ技術を使用することができる。例えば、一つまたは複数のディスプレイ９０６は、液晶ディスプレイ、プラズマ・ディスプレイ、発光ダイオード・ディスプレイ、ＯＬＥＤ（有機発光ダイオード）ディスプレイ、電子ペーパー・ディスプレイ、または、その上にデジタル・コンテンツを表示し得る他の任意の適当な種類のディスプレイであってよい。幾つかの例において、ディスプレイ９０６上に表示されたグラフィカル・ユーザ・インターフェース（例えば、商業者ＵＩ、顧客ＵＩ等）との対話を可能にするためのタッチ入力を受信するように構成されたタッチスクリーン・ディスプレイを提供するために、一つまたは複数のディスプレイ９０６は、それに結合されたタッチセンサを有してもよい。したがって、ここの実施形態は、如何なる特定のディスプレイ技術にも限定されない。
【００８４】
一方、入出力インターフェース９０８は、スピーカ、マイク、カメラ、および、様々のユーザ制御装置（例えば、ボタン、ジョイスティック、キーボード、キーパッド等）、触覚型出力装置等を含むことができる。
【００８５】
その他に、商業者装置９００は、カードリーダ９１２を含んでもよく、或いは、カードリーダ９１２に接続可能であってもよい。幾つかの例において、カードリーダ９１２は、例えば、マイク／ヘッドホン・ポート、データ・ポート、または、他の適当なポートのような商業者装置９００のポートにプラグ接続することができる。他の場合において、カードリーダ９１２は商業者装置９００全体と一体である。カードリーダ９１２は、磁気ストリップを読むための読取りヘッド、支払カードのチップ、および／または、近接センサを含むことができ、更に、磁気ストリップ、チップ、および／または、近接から読まれた情報を暗号化するための暗号化技術を含むことができる。或いは、特定の商業者装置９００の種類と構成に依って、他の多数の種類のカードリーダもここの商業者装置９００と共に使用され得る。
【００８６】
ロケーション・コンポーネント９１４は位置情報を示すことができるＧＰＳ装置を含むことができ、或いは、ロケーション・コンポーネント９１４は、他のロケーション・ベースのセンサを含んで成るものでもよい。商業者装置９００は、例えば、加速度計、ジャイロスコープ、コンパス、近接センサ等のような一つまたは複数の更なるセンサ（図示せず）を更に含むことができる。更に、商業者装置９００は図示されない様々の他の構成部品を含むことができ、他の構成部品の例は、取外し可能な記憶装置、パワー・コントロール・ユニット等を含む。
【００８７】
図１０は、幾つかの実施形態により、商業者と取引を行う際に顧客が利用することができる顧客装置の抜粋された構成部品の例を示す。例えば、顧客装置１０００は任意の適当な種類のコンピュータ装置であり得、例えば、移動型、半移動型、半固定、或いは、固定であり得る。顧客装置１０００の幾つかの例は：タブレット・コンピュータ装置；スマートフォンおよび移動通信装置；ラップトップ、ネットブック、および、他のポータブルコンピュータまたはセミポータブルコンピュータ；デスクトップ型コンピュータ装置、端末のコンピュータ装置、および、他の半固定または固定のコンピュータ装置；専用レジスタ装置；装着型コンピュータまたは他の身体装着型のコンピュータ装置；或いは、通知を送信し、ここに記述される技術による機能を実行し得る他のコンピュータ装置を含むことができる。
【００８８】
図示された例では、顧客装置１０００は、少なくとも１つのプロセッサ１００２、少なくとも１つのメモリ１００４、例えば、ディスプレイ２１４のようなディスプレイ１００６、例えば、Ｉ／Ｏインターフェース２２２のような一つまたは複数の入出力（Ｉ／Ｏ）インターフェース１００８、一つまたは複数の通信インターフェース１０１０、そして、少なくとも１つのロケーション・コンポーネント１０１２を含む。各プロセッサ１００２は、一つまたは複数のプロセッサまたは処理コアを有して成る。例えば、プロセッサ１００２は、一つまたは複数のマイクロプロセッサ、マイクロコンピュータ、マイクロコントローラ、デジタルシグナルプロセッサ、中央演算処理装置、ステートマシン、論理回路、および／または、操作上の命令に基づく信号を操作する任意の装置として実装され得る。場合によっては、プロセッサ１００２は、ここに記述されるアルゴリズムおよびプロセスを実行するように特にプログラムされるか構成された任意の適当な種類の一つまたは複数のハードウェア・プロセッサおよび／または論理回路であってもよい。プロセッサ１００２は、メモリ１００４に記憶されるコンピュータで読取り可能なプロセッサ実行可能命令をフェッチし、実行するように構成され得る。
【００８９】
顧客装置１０００の構成に依って、メモリ１００４は、有体の非一時的な、コンピュータ記憶媒体の例であってよく、例えば、コンピュータで読取り可能なプロセッサ実行可能命令、データ構造、プログラムモジュール、または、他のデータのような任意の情報の記憶技術で実現された揮発性および不揮発性のメモリ、並びに／或いは、取り外し可能および取り外し不可能な媒体を含み得る。メモリ１００４は、ＲＡＭ、ＲＯＭ、ＥＥＰＲＯＭ、フラッシュメモリ、ソリッドステート記憶装置、磁気ディスク記憶装置、光記憶装置、および／または、他のコンピュータで読取り可能なメディア技術を含み得るが、これに限定されるものではない。更に、場合によっては、顧客装置１０００は、（例えば、ＲＡＩＤ記憶システム、ストレージ・アレイ、ネットワーク・アタッチト・ストレージ、ストレージ・エリア・ネットワーク、クラウド記憶、或いは、情報を格納するために用いられ得、プロセッサ１００２によって直接または他の１つのコンピュータ装置またはネットワークを介してアクセスされ得る他の任意の媒体のような）外部記憶装置にアクセスしてもい。したがって、メモリ１００４は、プロセッサ１００２で実行され得る、命令、モジュール、または、コンポーネントを記憶し得るコンピュータ記憶媒体であってもよい。更に、ここで言及されるとき、非一時的コンピュータ読取り可能媒体は、エネルギー、キャリア信号、電磁波、および、信号それ自体のような媒体は除外する。
【００９０】
メモリ１００４は、プロセッサ１００２で実行可能である任意の数の機能コンポーネントを記憶して維持するために用いられ得る。幾つかの実施形態では、これらの機能コンポーネントはプロセッサ１００２で実行可能であり、動作を実施するために実行されるとき、上で顧客装置１０００に属すると考えられた動作およびサービスを実施するための操作上の論理を実現する命令またはプログラムを有して成る。メモリ１００４に記憶される顧客装置１０００の機能コンポーネントは、例えば、顧客アプリケーション２１２のような顧客アプリケーション１０１４を含むことができる。顧客アプリケーション１０１４は、顧客が、例えば、アイテムを選んで、支払い情報を送信することによって、商業者と取引を行うことを可能にするために顧客装置１０００上でインターフェースを表示することができる。更なる機能コンポーネントが、顧客装置１０００の様々の機能を制御し管理するため、そして、顧客装置１０００とユーザとの基本的な対話処理を可能にするためのオペレーティングシステム１０１６を含むことができる。メモリ１００４は、電子支払にアクセスして、例えば、商業者装置９００のような商業者装置に支払いを提供するように構成された電子支払モジュール１０１８を更に記憶することができる。
【００９１】
メモリ１００４は、顧客装置１０００および／または商業者装置のユーザ・インターフェース上でロックされたモードを起動するように構成された制御モジュール１０１８を更に記憶することができる。例えば、制御モジュール１０１８は一つまたは複数の入出力装置１００８による入力の通知を受信することができ、商業者装置の制御モジュールへの入力に対応する信号（例えば、入力のメッセージ）を送信することができる。信号を受信することに応じて、商業者装置の制御モジュールは、商業者装置がロックされたモードに入るようにすることができる。他の１つの例では、制御モジュール１０１８は、商業者装置の入出力インターフェース上の入力の通知を受信することができる。制御モジュール１０１８は、入力の通知を受信することに応じて、顧客装置１０００がロックされたモードに入るようにすることができる。
【００９２】
顧客装置１０００の種類に依って、メモリ１００４は、更にオプションとして、他のモジュールおよびデータ１０２０を含むことができ、他のモジュールおよびデータ１０２０は、プログラム、ドライバ等、そして、このモジュールで使用されるか、または、生成されるデータを含むことができる。更に、顧客装置１０００は、それについて記述されているのは単にここでの議論に関連がある例のみであるが、論理的で、プログラムに関係し、物理的な、他の多くの構成コンポーネントを含むことができる。
【００９３】
前述の一つまたは複数の通信インターフェース１０１０は、ネットワークを越える、または、直接の、他の様々の装置との通信を容易にするための一つまたは複数のインターフェースおよびハードウェア・コンポーネントを含むことができる。例えば、通信インターフェース１０１０は、例えば、ブルートゥース（登録商標）、ブルートゥース（登録商標）ローエナジー等のような近距離通信のみでなく、本明細書の他の箇所で付加的に列挙されたような、インターネット、ケーブル・ネットワーク、携帯電話ネットワーク、（例えば、Ｗｉ‐Ｆｉのような）無線ネットワーク、および、有線ネットワークの内の一つまたは複数を介した通信を容易にすることができる。
【００９４】
図１０は、更に、ＰＯＳ装置１０００が上記のディスプレイ１００６を含むことができることを示す。ＰＯＳ装置１０００として使用されるコンピュータ装置の種類に依って、ディスプレイ１００６には任意の適当なディスプレイ技術を使用することができる。例えば、ディスプレイ１００６は、液晶ディスプレイ、プラズマ・ディスプレイ、発光ダイオード・ディスプレイ、ＯＬＥＤ（有機発光ダイオード）ディスプレイ、電子ペーパー・ディスプレイ、または、その上にデジタル・コンテンツを表示し得る他の任意の適当な種類のディスプレイであってよい。幾つかの例において、ディスプレイ１００６上に表示されたグラフィカル・ユーザ・インターフェースとの対話を可能にするためのタッチ入力を受信するように構成されたタッチスクリーン・ディスプレイを提供するために、ディスプレイ１００６は、それに結合されたタッチセンサを有してもよい。したがって、ここの実施形態は、如何なる特定のディスプレイ技術にも限定されない。
【００９５】
一方、入出力インターフェース１００８は、スピーカ、マイク、カメラ、および、様々のユーザ制御装置（例えば、ボタン、ジョイスティック、キーボード、キーパッド等）、触覚型出力装置等を含むことができる。
【００９６】
ロケーション・コンポーネント１０１２は位置情報を示すことができるＧＰＳ装置を含むことができ、或いは、ロケーション・コンポーネント１０１２は、他のロケーション・ベースのセンサを含んで成るものでもよい。顧客装置１０００は、例えば、加速度計、ジャイロスコープ、コンパス、近接センサ等のような一つまたは複数の更なるセンサ（図示せず）を更に含むことができる。更に、顧客装置１０００は図示されない様々の他の構成部品を含むことができ、他の構成部品の例は取外し可能な記憶装置、パワー・コントロール・ユニット等を含む。
【００９７】
本内容は構造的特徴および／または方法論的な動作に特有の表現で記述されているが、添付の請求項において定められる内容が、記述される特定の特徴または動作に必ずしも限られているというわけではないことを理解されるべきである。むしろ、特定の特徴と動作は、請求項を実施することの例示的形態として開示されている。
【実施例】
【００９８】
Ａ：顧客と商業者との間のＰＯＳ取引を実行する際に使用される商業者販売時点情報管理（ＰＯＳ）システムであって、前述の商業者ＰＯＳシステムは：顧客ＰＯＳインターフェースを表示するように構成され、前述の商業者とのＰＯＳ取引の間に前述の顧客から入力を受信するように構成された顧客端末と；商業者ＰＯＳインターフェースを表示するように構成され前述の顧客とのＰＯＳ取引の間に前述の商業者から入力を受信するように構成された商業者端末と；一つまたは複数のプロセッサと；前述の一つまたは複数のプロセッサによって実行可能な命令を記憶する、一つまたは複数の非一時的コンピュータ読取り可能媒体とを含み；前述の顧客ＰＯＳインターフェースを介して前述の顧客端末において顧客データを含む第一の入力を受信することと；前述の第一の入力の通知を前述の顧客端末から前述の商業者端末まで送信することと；前述の第一の入力の前述の通知に応じて、前述の商業者ＰＯＳインターフェース上における前述の商業者によるデータ入力を実質的に不可能にする、前述の商業者ＰＯＳインターフェースのロックされたモードを起動させることと；前述の顧客端末において、前述の第一の入力の完了の通知を受信することと；前述の第一の入力の完了を表示するメッセージを前述の顧客端末から前述の商業者端末まで送信することと；前述のメッセージに応じて、前述の商業者ＰＯＳインターフェースの前述のロックされたモードを解除することとを含む動作を前述の一つまたは複数のプロセッサが実行するように、前述の命令が前述の一つまたは複数のプロセッサをプログラムする、商業者ＰＯＳシステム。
【００９９】
Ｂ：前述の第一の入力の完了の前述の通知を受信することの前に；前述の商業者が前述のロックされたモードを解除することを可能にするように構成された解除オプションを前述の商業者ＰＯＳインターフェース上に表示することと；前述の商業者端末において、前述の解除オプションの選択を受信することと；前述の解除オプションの前述の選択を受信することに応じて、前述の商業者ＰＯＳインターフェースの前述のロックされたモードを解除することとを前述の動作が更に含む、段落Ａに記載の商業者ＰＯＳシステム。
【０１００】
Ｃ：前述の第一の入力の完了の前述の通知を受信することの前に；代替の商業者ＰＯＳインターフェースを選ぶというオプションを前述の商業者ＰＯＳインターフェース上に表示することと；前述の代替の商業者ＰＯＳインターフェースの選択を前述の商業者端末において受信することと；前述の代替の商業者ＰＯＳインターフェースを前述の商業者端末上に表示することと；前述の商業者と第二の顧客との間の第二の取引についての取引データを前述の商業者端末において受信することと；前述の代替の商業者ＰＯＳインターフェースを介して前述の第二の取引を処理することとを動作が更に含む、段落Ａに記載の商業者ＰＯＳシステム。
【０１０１】
Ｄ：前述のロックされたモードにおける動作中に、前述の顧客による前述の第一の入力の表示を前述の商業者ＰＯＳインターフェース上に提示することを前述の動作が更に含む、段落Ａ〜Ｃのいずれかに記載の商業者ＰＯＳシステム。
【０１０２】
Ｅ：前述の第一の入力において前述の顧客により提供された機密情報を識別することと；前述の商業者ＰＯＳインターフェース上における前述の第一の入力の前述の表示から前述の機密情報を編集することとを前述の動作が更に含む、段落Ｄに記載の商業者ＰＯＳシステム。
【０１０３】
Ｆ：コンピュータを、実行に応じて、段落Ａ〜Ｅのいずれかに記載のシステムを実現させるように構成するコンピュータ実行可能命令を有する、コンピュータ読取り可能媒体。
【０１０４】
Ｇ：少なくとも部分的には、第一のディスプレイおよび第二のディスプレイを含む販売時点情報管理（ＰＯＳ）によって実現される方法であって；前述のＰＯＳシステムの前述の第一のディスプレイ上に第一のユーザ・インターフェース（ＵＩ）を表示することと；前述のＰＯＳシステムの前述の第二のディスプレイ上に第二のＵＩを表示することと；前述の第一のＵＩを介して入力を受信することと；少なくとも部分的には前述の入力に応じて、ロックされたモードを前述の第二のＵＩ上で起動させることとを含む方法。
【０１０５】
Ｈ：前述のＰＯＳシステムに前述の第二のＵＩ上の前述のロックされたモードを、選択されたときに、解除させる制御手段（ｃｏｎｔｒｏｌ）を前述の第二のＵＩ上に表示することと；前述の制御手段の選択を受信することと；前述の選択を受信することに応じて、前述の第二のＵＩの前述のロックされたモードを解除することとを更に含む、段落Ｇに記載の方法。
【０１０６】
Ｉ：前述の第一のＵＩへ解除メッセージを送信することと；前述の第一のＵＩに、ロックされたモードを起動させることとを更に含む、段落Ｈに記載の方法。
【０１０７】
Ｊ：前述の第一のＵＩ上の入力が完了したという通知を受信することと；少なくとも部分的には前述の通知に応じて、前述の第二のＵＩ上で前述のロックされたモードを解除することとを更に含む、段落Ｇ〜Ｉのいずれかに記載の方法。
【０１０８】
Ｋ：前述の第一のＵＩと結合された第一の制御モジュールから前述の第二のＵＩと結合された第二の制御モジュールまで、前述の入力の通知を送信することと；第二の制御モジュールによって、前述の第二のＵＩ上で前述のロックされたモードを自動的に起動させることとを更に含む、段落Ｇ〜Ｊのいずれかに記載の方法。
【０１０９】
Ｌ：顧客データ、取引データ、または、支払いデータの内の一つまたは複数を前述の入力が含む、段落Ｇ〜Ｋのいずれかに記載の方法。
【０１１０】
Ｍ：前述の第一のディスプレイは顧客対面装置と結合されたディスプレイであり、前述の第二のディスプレイは商業者対面装置と結合されたディスプレイであり、前述の顧客対面装置および前述の商業者対面装置は、顧客と商業者との間のＰＯＳ取引を行うように構成されている、段落Ｇ〜Ｌのいずれかに記載の方法。
【０１１１】
Ｎ：前述の第一のディスプレイは商業者装置の顧客端末を有し、前述の第二のディスプレイは、前述の商業者装置の商業者端末を有する、段落Ｇ〜Ｍのいずれかに記載の方法。
【０１１２】
Ｏ：前述の第二のＵＩ上において、入力の表示を提示することと；前述の入力において機密情報を識別することと；、前述の第二のユーザ・インターフェースで提示される前述の入力の前述の表示から前述の機密情報の少なくとも一部を編集することとを前述の動作が更に含む、段落Ｇ〜Ｎのいずれかに記載の方法。
【０１１３】
Ｐ：プロセッサと；前述のプロセッサに結合され、段落Ｇ〜Ｏのいずれかに記載のコンピュータで実現される方法を実行するように前述のプロセッサを構成するという命令を含むコンピュータ読取り可能媒体とを含む、システムまたは装置。
【０１１４】
Ｑ：処理のための手段と；前述の処理のための手段に結合され、段落Ｇ〜Ｏのいずれかに記載のコンピュータで実現される方法を実行するように一つまたは複数の装置を構成するという命令を記憶することを含む、記憶のための手段とを含む、システムまたは装置。
【０１１５】
Ｒ：実行に応じて、段落Ｇ〜Ｏのいずれかに記載の方法を実行するようにコンピュータを構成するコンピュータ実行可能命令を有する、コンピュータ読取り可能媒体。
【０１１６】
Ｓ：販売時点情報管理（ＰＯＳ）システムにおける商業者端末として使用されるコンピュータ装置であって；一つまたは複数のプロセッサと；前述の一つまたは複数のプロセッサによって実行可能な命令を記憶する、一つまたは複数の非一時的コンピュータ読取り可能媒体とを含み；前述のコンピュータ装置の第一のディスプレイ上に第一のユーザ・インターフェース（ＵＩ）を表示することと；前述のコンピュータ装置の第二のディスプレイ上に第二のＵＩを表示することと；前述の第一のＵＩを介して入力を受信することと；少なくとも部分的には前述の第一のＵＩを介する前述の入力に応じて、ロックされたモードを前述の第二のＵＩ上で起動させることとを含む動作を前述の一つまたは複数のプロセッサが実行するように、前述の命令が前述の一つまたは複数のプロセッサをプログラムする、コンピュータ装置。
【０１１７】
Ｔ：前述のＰＯＳシステムに前述の第二のＵＩ上の前述のロックされたモードを、選択されたときに、解除させる制御手段を前述の第二のＵＩ上に表示することと；前述の制御手段の選択を前述の第二のＵＩ上で受信することと；前述の選択を受信することに応じて、前述の第二のＵＩの前述のロックされたモードを解除することとを前述の動作が更に含む、段落Ｓに記載のコンピュータ装置。
【０１１８】
Ｕ：前述の第二のＵＩの前述のロックされたモードが解除されたという通知を含む解除メッセージを前述の第一のＵＩへ送信することと；前述の第一のＵＩに、ロックされたモードを起動させることとを前述の動作が更に含む、段落Ｔに記載のコンピュータ装置。
【０１１９】
Ｖ：前述の第一のＵＩ上の入力が完了したという通知を受信することと；少なくとも部分的には前述の通知に応じて、前述の第二のＵＩ上で前述のロックされたモードを解除することとを前述の動作が更に含む、段落Ｓ〜Ｕのいずれかに記載のコンピュータ装置。
【０１２０】
Ｗ：前述の第二のＵＩは商業者対面ＵＩであり；ロックされたモードで動作している間に、前述の商業者端末を介して、代替の商業者ＵＩの選択を受信することと；前述の代替の商業者ＵＩを前述の第二のディスプレイ上に表示することと；前述の商業者端末において、第二の取引についての取引データを受信することと；前述の代替の商業者ＵＩを介して前述の第二の取引と関係する入力を処理することとを前述の動作が更に含む、段落Ｓ〜Ｖに記載のコンピュータ装置。
【０１２１】
Ｘ：前述のロックされたモードで動作している間に、前述の入力の表示を前述の第二のＵＩ上に提示することと；前述の入力において機密情報を識別することと；前述の第二のＵＩ上の前述の入力の前述の表示から前述の機密情報を編集することとを前述の動作が更に含む、段落Ｓ〜Ｗに記載のコンピュータ装置。
【図１】
2019523953.tif 000003
【図２】
2019523953.tif 000004
【図３】
2019523953.tif 000005
【図４】
2019523953.tif 000006
【図５】
2019523953.tif 000007
【図６】
2019523953.tif 000008
【図７】
2019523953.tif 000009
【図８】
2019523953.tif 000010
【図９】
2019523953.tif 000011
【図１０】
2019523953.tif 000012
【国際調査報告】
2019523953.tif 000013
2019523953.tif 000014
2019523953.tif 000015